(57)【特許請求の範囲】
【請求項１】
機枠に取付けられた軸受に回転可能に支持されたローラ本体と、ローラ本体の内部に定置されている芯材に、コイルを巻着した電磁誘導発熱機構とを有する定着ローラにおいて、前記ローラ本体は、軸方向両端が開口し、該開口を塞ぐように側板が取付けられて前記軸受で支持された軸受部を有し、この軸受部の側板の内面にフェライトを設けたことを特徴とする定着ローラ。
【請求項２】
フェライトは複数のフェライト部材からなり、このフェライト部材は円周方向に間隔をおいて配置されていることを特徴とする請求項１に記載の定着ローラ。
【請求項３】
フェライト部材はほぼＬ字形のフェライト部材からなることを特徴とする請求項２に記載の定着ローラ。
【請求項４】
フェライトは円盤状のフェライトからなり、このフェライトの外周面がローラ本体の内周面にほぼ隙間なく嵌合していることを特徴とする請求項１に記載の定着ローラ。
【請求項５】
駆動回転するローラ本体が、ローラ本体の内部に定置されていて、電磁誘導発熱機構のコイルが巻着されている芯材に軸受部によって回転可能に支持されている定着ローラにおいて、前記ローラ本体は、軸方向両端が開口し、該開口を塞ぐように側板が取付けられて軸受で支持された軸受部を有し、前記軸受部の内側において芯材にフェライトを側板の内面と接触するように設けるとともに、このフェライトがフェライトで形成された前記芯材と一体成形されていることを特徴とする定着ローラ。
【発明の詳細な説明】
【０００１】
【発明の属する技術分野】
この発明は、定着装置における定着ローラに関するものである。
【０００２】
【従来の技術】
従来この発明の定着ローラを具えた定着装置は、図10，11に示すような構成となっている。この定着装置において１は定着ローラを示し、この定着ローラ１は図示しない機枠に取付けられた軸受３に軸受部５が回転可能に支持されたローラ本体２と、ローラ本体２の内部に定置されている芯材４に、コイル６を巻着した電磁誘導発熱機構７とを有し、８は軸受部５に取付けられた駆動歯車を示す。
【０００３】
【発明が解決しようとする課題】
このような定着ローラ１においては、電磁誘導発熱機構７のコイル６に通電して発生する電磁誘導によってローラ本体２を加熱することとなる。その際コイル６によって発生する磁界分布は図１１に示すようであって、磁束が軸受部５を指向してここに到達してこの部分が発熱することとなり、軸受３、軸受部５及び駆動歯車８等を損傷し、それらの寿命を短くするという問題がある。
【０００４】
そこでこの発明の目的は、前記のような従来の定着ローラのもつ問題を解消し、電磁誘導発熱機構によって発生する電磁誘導によってローラ本体２を加熱する際、磁界が軸受部に到達することがなくてこの部分が発熱することがなく、軸受、軸受部及び駆動歯車等を損傷して、それらの寿命を短くすることのない定着ローラを提供するにある。
【０００５】
【課題を解決するための手段】
この発明は、前記のような目的を達成するために、請求項１に記載の発明は、機枠に取付けられた軸受に回転可能に支持されたローラ本体と、ローラ本体の内部に定置されている芯材に、コイルを巻着した電磁誘導発熱機構とを有する定着ローラにおいて、ローラ本体は軸方向両端が開口し、該開口を塞ぐように側板が取付けられて、前記軸受で支持された軸受部を有し、この軸受部の側板の内面にフェライトを設けたことを特徴とするものである。
【０００６】
請求項２に記載の発明は、請求項１記載の発明において、フェライトは複数のフェライト部材からなり、このフェライト部材は円周方向に間隔をおいて配置されていることを特徴とし、請求項３に記載の発明は、請求項２に記載の発明において、フェライト部材はほぼＬ字形のフェライト部材からなることを特徴とするものである。
【０００７】
請求項４に記載の発明は、請求項１に記載の発明において、フェライトは円盤状のフェライトからなり、このフェライトの外周面がローラ本体の内円面にほぼ隙間なく嵌合していることを特徴とするものである。
【０００８】
請求項５に記載の発明は、駆動回転するローラ本体が、ローラ本体の内部に定置されていて、電磁誘導発熱機構のコイルが巻着されている芯材に軸受部によって回転可能に支持されている定着ローラにおいて、前記ローラ本体は、軸方向両端が開口し、該開口を塞ぐように側板が取付けられて軸受で支持された軸受部を有し、前記軸受部の内側において芯材にフェライトを側板の内面と接触するように設けるとともに、このフェライトがフェライトで形成された前記芯材と一体成形されていることを特徴とするものである。
【０００９】
【発明の実施の形態】
この発明の実施の形態を図面を参照して説明する。各実施形態において、前記従来のものと同様の部分には同一の符号を付して説明を省略し、主として異なる部分について説明する。
【００１０】
図１〜３に示す第１実施形態は、機枠に取付けられた軸受３に回転可能に支持されたローラ本体２の内部に定置された芯材４に、コイル６を巻着した電磁誘導発熱機構７が設けられ、ローラ本体２の側板１０の内面にフェライト１１を設け、このフェライト１１は複数のフェライト部材１２からなっていて、このフェライト部材１２は円周方向に間隔をおいて配置されている。このようなものにおいて、磁束は図３に示すようにフェライト１１によってローラ本体２に誘導されて、軸受部５を指向することがなくてこの部分が発熱することがなく、軸受３、軸受部５及び駆動歯車８等を損傷して、それらの寿命を短くすることがない。なおフェライト１１はローラ本体２に設ける代わりに、芯材４に取付けた図示しない支持部材に取付けてもよい。
【００１１】
図４〜６に示す第２実施形態は、フェライト部材１２がほぼＬ字形のフェライト部材からなる点で、第１実施形態と相違するだけで、他に相違するところがないが、フェライト部材１２がほぼＬ字形となっていることによって、磁束は図６に示すようにフェライト１１によって、より多くローラ本体２に誘導されて効率よくこれから発熱させるとともに、軸受部５への磁束の誘導が抑止されて発熱がさらに有効的に防止されることとなる。
【００１２】
図７に示す第３実施形態は、フェライト１１は円盤状のフェライトからなり、このフェライト１１の外周面がローラ本体２の内周面にほぼ隙間なく嵌合している。この第３実施形態における磁束は、フェライトの全外周からローラ本体に誘導されて、ローラ本体を効率よく発熱させるとともに、フェライトの外周面とローラ本体の内周面との間に、隙間がないことによってここからの磁束の流出がなく、軸受部５の発熱がさらに有効的に防止されることとなる。
【００１３】
図８に示す第４実施形態は、ローラ本体２が芯材４に軸受３によって回転可能に支持されていて、芯材４にフェライト１１を設けている。この第４実施形態はフェライト１１が芯材４とともに静止しているが、その磁界分布は第３実施形態のそれとほぼ同様であって、磁束がフェライト１１よって軸受部５に誘導されるのを阻止し、軸受部５の発熱が有効的に防止されることとなる。
【００１４】
図９に示す第５実施形態は、芯材４がフェライト１１と一体成形されている点で、第４実施形態と相違するだけで、他に相違するところがないが、部品点数が少なくて組立て作業が容易であって安価である。
【００１５】
【発明の効果】
この発明は上記のようであって、請求項１に記載の発明は、機枠に取付けられた軸受に回転可能に支持されたローラ本体と、ローラ本体の内部に定置されている芯材に、コイルを巻着した電磁誘導発熱機構とを有する定着ローラにおいて、ローラ本体は軸方向両端が開口し、該開口を塞ぐように側板が取付けられて、前記軸受で支持された軸受部を有し、この軸受部の側板の内面にフェライトを設け、請求項２に記載の発明は、フェライトは複数のフェライト部材からなり、このフェライト部材は円周方向に間隔をおいて配置されているので、電磁誘導発熱機構によって発生する電磁誘導によってローラ本体を加熱する際、磁界が軸受部に到達することがなくてこの部分が発熱することがなく、軸受、軸受部及び駆動歯車等を損傷して、それらの寿命を短くするということがないという効果がある。
【００１６】
請求項３に記載の発明は、フェライト部材はほぼＬ字形のフェライト部材からなるので、磁束はフェライトによって、より多くローラ本体に誘導されて効率よくこれから発熱させるとともに、軸受部への磁束の誘導が抑止されて発熱がさらに有効的に防止されるという効果がある。
【００１７】
請求項４に記載の発明は、フェライトは円盤状のフェライトからなり、このフェライトの外周面がローラ本体の内周面にほぼ隙間なく嵌合しているので、その磁界分布は、フェライトの全外周からローラ本体に誘導されて、ローラ本体を効率よく発熱させるとともに、フェライトの外周面とローラ本体の内周面との間に、隙間がないことによってここから磁束が流出することがなく、軸受部の発熱がさらに有効的に防止されるという効果がある。
【００１８】
請求項５に記載の発明は、駆動回転するローラ本体が、ローラ本体の内部に定置されていて、電磁誘導発熱機構のコイルが巻着されている芯材に軸受部によって回転可能に支持されている定着ローラにおいて、前記ローラ本体は、軸方向両端が開口し、該開口を塞ぐように側板が取付けられて前記軸受で支持された軸受部を有し、前記軸受部の内側において芯材にフェライトを側板の内面と接触するように設けるとともに、このフェライトがフェライトで形成された前記芯材と一体成形されているので、磁界分布は他のそれとほぼ同様であって、磁束がフェライトによって軸受部に誘導されるのを阻止し、軸受部の発熱が有効的に防止され、また芯材がフェライトと一体成形されているので、部品点数が少なくて組立て作業が容易であって安価であるという効果がある。
【図面の簡単な説明】
【図１】この発明の第１実施形態の縦断正面図である。
【図２】同上の要部の斜面図である。
【図３】同上の磁界の分布図である。
【図４】この発明の第２実施形態の要部の斜面図である。
【図５】同上の一部の縦断正面図である。
【図６】同上の磁界の分布図である。
【図７】この発明の第３実施形態の要部の斜面図である。
【図８】この発明の第４実施形態の縦断正面図である。
【図９】この発明の第５実施形態の縦断正面図である。
【図１０】従来のこの発明と同種の定着ローラの縦断正面図である。
【図１１】同上の磁界の分布図である。
【符号の説明】
１  定着ローラ                  ２  ローラ本体
３  軸受                        ４  芯材
５  軸受部                      ６  コイル
７  電磁誘導発熱機構            ８  駆動歯車
１０  側板                        １１  フェライト
１２  フェライト部材
【図１】
0003569396.tif 000002
【図２】
0003569396.tif 000003
【図３】
0003569396.tif 000004
【図４】
0003569396.tif 000005
【図５】
0003569396.tif 000006
【図６】
0003569396.tif 000007
【図７】
0003569396.tif 000008
【図８】
0003569396.tif 000009
【図９】
0003569396.tif 000010
【図１０】
0003569396.tif 000011
【図１１】
0003569396.tif 000012